(57)【特許請求の範囲】
【請求項１】
エアフィルタ（１０）を該エアフィルタに沿って換気装置（１４）の流路断面（１２）内の流れ方向に対して横方向に挿入可能である平坦な延長部と、前記流路断面（１２）内に挿入する際に前記エアフィルタ（１０）を案内するために前記換気装置（１４）の案内部材（４０、４２）と係合可能な少なくとも１つの切り欠き部（２８）を備える少なくとも１つのフレーム壁（１６）によって少なくとも特定の領域で界接される、前記エアフィルタの平坦な延長部に沿って配置されるフィルタ濾過材（２６）と、を有する、自動車の換気装置（１４）用エアフィルタ（１０）であって、
前記切り欠き部（２８）は、前記フレーム壁（１６）の縁部（２７）にノッチとして形成され、前記縁部（２７）に対するアンダーカットが形成されることによって、前記挿入方向に対して横向きの２方向に挿入する際に前記エアフィルタ（１０）を支持できるようにされ、
前記切り欠き部（２８）が形成されている前記フレーム壁（１６）の一部分はプレート形状であり、前記切り欠き部（２８）は、前記フレーム壁（１６）の一部分が前記縁部（２７）から切り欠かれ、該切り欠き部の開口が前記フレーム壁（１６）の一部分の厚さ方向に延在するように形成され、
前記フレーム壁（１６）は、前記挿入方向に少なくとも二つ互いに離間して設けられ、前記切り欠き部（２８）は、それぞれのフレーム壁に前記案内部材（４０、４２）と係合するように直線上に設けられていることを特徴とする、エアフィルタ。
【請求項２】
前記それぞれの切り欠き部（２８）は、Ｌ字形に形成されることを特徴とする、請求項１に記載のエアフィルタ。
【請求項３】
前記それぞれの切り欠き部（２８）は、Ｔ字形に形成されることを特徴とする、請求項１に記載のエアフィルタ。
【請求項４】
前記それぞれの切り欠き部（２８）は、前記縁部（２７）から離れた領域で幅広い湾状部を有する細長いスリットとして形成されることを特徴とする、請求項１に記載のエアフィルタ。
【請求項５】
複数の切り欠き部（２８）を設けることを特徴とする、請求項１〜４のいずれか一項に記載のエアフィルタ。
【請求項６】
複数の切り欠き部（２８）が挿入方向に一致して配置されることによって、挿入時に個々の案内部材（４０、４２）と係合可能であることを特徴とする、請求項１〜請求項５のいずれか一項に記載のエアフィルタ。
【請求項７】
前記フィルタ濾過材（２６）は、プリーツ状フィルタフリースとして構成され、前記フレーム壁（１６）のフレーム壁部分（２０、２４）に少なくとも特定の範囲で固定されていることを特徴とする、請求項１〜請求項６のいずれか一項に記載のエアフィルタ。
【請求項８】
前記フィルタ濾過材（２６）のプリーツの曲折縁部は、挿入方向を向くことを特徴とする、請求項１〜請求項７のいずれか一項に記載のエアフィルタ。
【請求項９】
自動車の換気装置（１４）用エアフィルタ（１０）の配置であって、該エアフィルタ（１０）は、該エアフィルタに沿って前記換気装置（１４）の流路断面（１２）内の流れ方向に対して前記エアフィルタ（１０）を横方向に挿入可能である平坦な延長部を備え、かつ、前記流路断面（１２）内に挿入する際に該エアフィルタ（１０）を案内するために前記換気装置（１４）の案内部材（４０、４２）と係合可能な少なくとも１つの切り欠き部（２８）を有する少なくとも１つのフレーム壁（１６）によって少なくとも特定の領域で界接される、前記エアフィルタの平坦な延長部に沿って配置されるフィルタ濾過材（２６）を備える、エアフィルタの配置であって、
前記切り欠き部（２８）は、前記フレーム壁（１６）の縁部（２７）のノッチとして形成され、前記縁部（２７）に対するアンダーカットが形成されることによって、前記挿入方向に対して横向きの２方向に挿入する際に前記エアフィルタ（１０）を支持できるようにされ、
前記切り欠き部（２８）が形成されている前記フレーム壁（１６）の一部分はプレート形状であり、前記切り欠き部（２８）は、前記フレーム壁（１６）の一部分が前記縁部（２７）から切り欠かれ、該切り欠き部の開口が前記フレーム壁（１６）の一部分の厚さ方向に延在するように形成され、
前記フレーム壁（１６）は、前記挿入方向に少なくとも二つ互いに離間して設けられ、前記切り欠き部（２８）は、それぞれのフレーム壁に前記案内部材（４０、４２）と係合するように直線上に設けられていることを特徴とする、エアフィルタの配置。
【発明の詳細な説明】
【技術分野】
【０００１】
本発明は、請求項１の前段に記載の自動車の換気装置用エアフィルタに関する。本発明は更に、請求項９の前段に記載のそのような換気装置の流路断面内のそのようなエアフィルタの配置に関する。
【背景技術】
【０００２】
特許文献１から、平坦であり、引き出し形状又はカセット形状の延長部がその延長方向に沿って、又は換気装置の流路断面内の流れ方向に対して横方向に挿入されるエアフィルタが既に公知であることが分かる。ここで、エアフィルタは、エアフィルタの平坦な延長部に沿って配置された、この場合はフレーム壁によって周囲が界接されたフィルタ用濾過材を含んでいる。その際、フレーム壁内には、流路断面に挿入する際にエアフィルタを案内するために、換気装置のガイドピン形状のガイド部材と係合可能な複数の切り欠き部が設けられている。
【０００３】
ガイドピンは、フィルタハウジングを貫通するため、エアフィルタの複雑な設計が必要になる。十分な案内長さを得るために、フィルタハウジングの対応する切り欠き部に、ガイドピンを受けることができるそれぞれのガイドドームを連結する必要がある。それにもエアフィルタの複雑な設計が必要になる。
【先行技術文献】
【特許文献】
【０００４】
【特許文献１】独国特許第１０２００５０４８８４１Ｂ３号明細書
【発明の概要】
【発明が解決しようとする課題】
【０００５】
したがって、本発明の課題は、受け軸への挿入時において極めて確実に、しかも簡単にエアフィルタの案内が可能な、冒頭に記載のエアフィルタ及び配置を提供することである。
【課題を解決するための手段】
【０００６】
この課題は、本発明により、請求項１に記載の特徴を有するエアフィルタ及び配置によって解決される。本発明の発展形態による有利な実施形態は、その他の請求項に記載されている。
【０００７】
極めて確実かつ簡単に、エアフィルタを受け軸に挿入又は受け軸から引き抜きするために案内可能な、冒頭に記載の種類のエアフィルタを製造するために、本発明により、切り欠き部がノッチとしてフレーム壁縁部に設けられ、縁部に対するアンダーカットが形成されることによって、挿入する際にエアフィルタを挿入方向に対して横向きの２方向に支持できるようにされる。したがって、本発明により、少なくとも１つの切り欠き部は、エアフィルタのフレーム壁の外側又は幅広側の縁部に向けて開くように形成される。このようなフレーム壁の縁部に向けて外側に開かれた切り欠き部は、通常はノッチと呼ばれる。このノッチは、切断によっても、成形、鋳造、又はその他の方法によってもフレーム壁に組み込むことができ、又は他の方法でフレーム壁に設けることができる。
【０００８】
このノッチによって、この場合はエアフィルタに案内部材、例えば、ガイドレールを貫通させなくても、受け軸の側の対応する案内部材をフィルタに沿って、例えば、ほとんどの長さ、又は全長にわたって延ばすことが可能になる。それによって、ガイドレールは、実質的にフィルタハウジングの外側、例えば、幅広側に延びることができるため、例えば、フィルタ濾過材内部に特別なくぼみを設けなくても済む。それによって、１つ又は複数のノッチしか設ける必要なくエアフィルタを簡単に形成することが可能になる。更に、それによって上述のように、換気装置の側の対応する案内部材が簡単にエアフィルタの全長にわたって延びることができるため、特に好適な案内が可能になる。
【０００９】
その際、ノッチは、フレーム壁の縁部に対するアンダーカットが形成されるため、挿入方向に対して横方向、又は縦方向の両方の空間的方向に挿入する際にエアフィルタを支持できるようになる。したがってノッチは、少なくとも実質的に挿入方向だけ、又は引き抜き方向のみのエアフィルタの移動を実現できるように形成される。
【００１０】
ノッチが、ひいては換気装置の側の対応する案内部材も、角形又はＴ字形の断面を有することによって、特に簡単な、しかも案内し易いエアフィルタを実現することができる。
【００１１】
代替として、特にノッチを、縁部から離れた領域に幅広い湾状部を有する細長いスリットとして形成することも考えられる。このような、例えば、鍵穴形状に形成された切り欠き部によって、エアフィルタの良好かつスムーズな案内も可能になる。
【００１２】
本発明の更なる実施形態では、複数の切り欠き部が挿入方向に一致して配置されることによって、挿入時に切り欠き部が単一の案内部材と係合することができる。それによって、換気装置の側の案内部材を、例えば、直線状に延びるガイドレールとして形成することができ、このガイドレールは、対応する簡単な形状であり、ガイドレールに沿ってエアフィルタのスムーズな案内を実現できる。
【００１３】
更に、フィルタ濾過材がプリーツ状フィルタフリースとして実施され、少なくとも特定の領域でフレーム壁に固定される実施形態が有利である。特定の領域での固定が考えられるのは特に、別個のフレーム壁は、プリーツに対して横方向の領域だけで形成され、その他のフレーム壁はプリーツ状フィルタフリース自体によって形成できるからである。
【００１４】
最後に、フィルタ濾過材のプリーツのそれぞれの曲折縁部が挿入方向を向いていることが有利であることが示される。それによって、適宜の固有の剛性を有し、挿入時に耐久性のあるフィルタ濾過材が得られる。
【００１５】
本発明によるエアフィルタに関して前述した利点は、請求項９に記載の配置にも同様に当てはまる。
【００１６】
本発明のその他の利点、特徴及び詳細は、図面を参照して好適な実施形態の以下の説明によって明らかになる。
【図面の簡単な説明】
【００１７】
【図１】エアフィルタ及び受け軸内にエアフィルタを配置可能な自動車の換気装置の斜視図であり、エアフィルタは、エアフィルタを受け軸に配置された対応する２つの案内部材に連結するためのそれぞれの案内切り欠き部を有するフィルタハウジングを含み、エアフィルタは、案内部材に沿って受け軸に挿入可能又は受け軸から引き抜き可能であり、それぞれの案内切り欠き部は、フィルタハウジングの外側に向けて開くように形成されている。
【図２】受け軸に完全に挿入された、図１に示すエアフィルタの配置の斜視正面図である。
【発明を実施するための形態】
【００１８】
図１及び図２は、平坦な延長部を有するエアフィルタ１０の斜視図及び斜視正面図であり、更に詳細に記載するように、その延長部に沿ってエアフィルタは、換気装置１４の流路断面１２内に挿入可能である。その際、換気装置１４は、自動車の暖房装置及び／又は空調装置の一部であり、空調ボックス又はエアフィルタボックスを含んでおり、この領域にエアフィルタ１０用の流路断面１２が設けられている。
【００１９】
図１から分かるように、エアフィルタ１０は、この場合は完全な周囲フレーム壁１６を備え、このフレーム壁は、細長側面１８それぞれに、円弧状に、また互いに非平行に延びるフレーム壁部分２０を備えている。このフレーム壁部分２０の外側に、適宜の密封部材２２が備えられ、この密封部材は、濾過されていない空気がそれぞれのフレーム壁部分２０と流路断面１２のそれぞれ対応する壁との間を通って溢流することの防止に寄与する。
【００２０】
更に、フレーム壁１６は、フレーム壁部分２０と共に周囲フレーム壁１６を形成する互いに平行に配置された２つのフレーム壁部分２４を含む。更に、２つの中間の壁部分２５は、フレーム壁部分２０を互いに連結し、この場合はフレーム壁部分２４に平行に延在するリブとして形成されている。フレーム壁１６、又はフレーム壁部分２０、２４は、この場合は換気装置１４を貫流する空気、例えば、外気を浄化することができるフィルタ濾過材２６を界接している。フィルタ濾過材２６は、プリーツ状フィルタフリースとして実施され、少なくとも特定の領域でフレーム壁１６のフレーム壁部分２０、２４に固定されている。フィルタ濾過材２６のプリーツ部のそれぞれの曲折縁部１７は、挿入方向を向いている。
【００２１】
特に折り畳み方向で、それぞれのフレーム壁部分２０をプリーツ状フィルタフリース２６自体で形成できることも、本発明の範囲内に含まれると見なされる。したがって、これに関連して少なくとも切り欠き部、又はノッチ２８を、フレーム壁部分としてのフィルタフリース内に直接挿入することも考えられる。
【００２２】
代替として、フィルタ濾過材２６を発泡体、又はバルク材料からなるブロックフィルタによって形成することも勿論可能である。
【００２３】
ここで、特に図２から分かるように、フレーム壁１６のフレーム壁部分２４内と同様に、リブの役割を果たす壁部分２５内にも、全部で８つの切り欠き部２８が設けられ、それぞれがノッチとして、フレーム壁１６、各フレーム壁部分２４、壁部分２５それぞれの縁部２７に構成され、縁部２７に対してアンダーカットが形成されている。このようなノッチ２８は、この場合は切断又は成形、すなわち、例えば、打ち抜き加工などによって製造される。同様に、別の技術、特に鋳造法も考えられる。
【００２４】
それぞれのノッチ２８の特徴は、ノッチが対応するフレーム壁部分２４又は壁部分２５のそれぞれの縁部２７に対して外側に、この場合はエアフィルタ１０の幅広側面３０に向けて開くように形成されることであると見なされる。この場合、切り欠き部又はノッチ２８のそれぞれは、全体として角形又はＬ字形に形成され、縁部２７に向けて開くように形成された脚部３２を含んでいる。この場合、この脚部３２には、これに略垂直に配置され、したがって縁部２７に対して略平行に延びる脚部３４が延在している。
【００２５】
脚部３２と脚部３４とが、それぞれのノッチ２８の実質的にＴ字形の断面をも形成できることは、本発明の範囲に含まれると見なされる。同様に、それぞれの切り欠き部２８を、縁部２７から離れた領域に幅広い湾状部を有する細長いスリットとして形成することも考えられる。しかし、すべての実施形態で本質的に、それぞれのノッチ２８が縁部２７に対するアンダーカットとして形成され、縁部に向けて開くようにノッチが形成され、それによって挿入方向又は引き抜き方向に対して横向きの２つの方向にエアフィルタを挿入する際に、エアフィルタ１０を支持できるようにされる。
【００２６】
更に、換気装置１４の流路断面１２内のエアフィルタ１０の配置を斜視正面図で示す図２と共に見ると分かるように、この場合はそれぞれ４つの左側及び４つの右側の切り欠き部、又はノッチ２８は、挿入方向に一致して付随するフレーム壁部分２４又は壁部分２５内に配置され、それによって換気装置１４の流路断面１２内に挿入される際にそれぞれのレール形状の案内部材、詳しく言えばガイドレール４０、４２に係合可能、又は係合される。したがって、両方のガイドレール４０、４２は、対応して直線的に形成される。それによって、ノッチ２８を用いてエアフィルタ１０をガイドレール４０、４２に沿って換気装置１４の流路断面１２内に簡単に挿入する、又はそこから引き抜くことができる。ここで、例えば、換気装置１４の流路断面１２内に挿入する、又はそこから引き抜く際にエアフィルタ１０の対応する移動経路を達成するため、湾曲した案内部材を使用することも勿論考えられる。
【００２７】
更に図２から分かるように、換気装置１４の側のそれぞれの案内部材、詳しく言えばガイドレール４０、４２は、その断面においてそれぞれのノッチ２８に適合され、それぞれの脚部４４及び４６と共に略Ｌ字形又は角形に形成される。
【００２８】
ノッチの脚部３２及び３４の形状、及びこれに対応するそれぞれのガイドレール４０、４２の脚部４４及び４６の形状によって、挿入及び引き抜きの際にエアフィルタ１０を挿入方向に対して横向きの２つの方向、より正確には挿入方向に対して垂直な空間方向に支持可能であることが達成される。それによって、エアフィルタ１０を単に挿入し、又は引き抜くことが可能である。
【００２９】
最後に図１から分かるように、換気装置１４のハウジング内には、開放状態で示されている適宜のフラップ４８が備えられている。フラップ４８には、その閉鎖状態でフラップをフレーム壁１６の対応するフレーム壁部分２４に対して密封するための密閉部材５０がある。
【図１】
0006385455.tif 000002
【図２】
0006385455.tif 000003